(57)【要約】      （修正有）【課題】畦の法面の除草作業の作業性を高めた刈払用回転刃を提供する。【解決手段】円盤状に形成された台金部１と、台金部１の周縁に間欠的に形成され、先端部が台金部１の周縁から台金部１の径方向に突出する複数の刃部２とを備え、全体の外径寸法を１２０ｍｍ以上１７０ｍｍ以下に形成する。【選択図】図２
0003182487.tif 000002
【実用新案登録請求の範囲】
【請求項１】
円盤状に形成された台金部と、前記台金部の周縁に間欠的に形成され、先端部が前記台金部の周縁から前記台金部の径方向に突出する複数の刃部とを備え、
外径寸法が１２０ｍｍ以上１７０ｍｍ以下に形成されている、刈払用回転刃。
【請求項２】
６個以上１２個以下の前記刃部が、前記台金部の周縁に等間隔に配設されている、請求項１に記載の刈払用回転刃。
【請求項３】
前記刈払用回転刃は、刈払機によって所定の回転方向に回転駆動され、
前記台金部は、前記それぞれの刃部の前記回転方向側の前記台金部の周縁を凹状に形成した複数の刃室を有し、
前記各刃室と該刃室の前記回転方向側の隣に位置する前記刃部とを連結する前記台金部の周縁は、前記台金部の円周方向に延在する弧状に形成されている、請求項１又は２に記載の刈払用回転刃。
【請求項４】
前記複数の刃部は、それぞれ厚さ寸法が１ｍｍ以上２.５ｍｍ以下である、請求項１乃至３の何れかに記載の刈払用回転刃。
【請求項５】
前記複数の刃部は、それぞれ前記刈払用回転刃の上面側の隅角部に鋭利な刃先が形成されている、請求項１乃至４の何れかに記載の刈払用回転刃。
【請求項６】
前記刃部は、コバルトの含有量が９重量パーセント以上１１重量パーセント以下である超硬合金製である、請求項１乃至５の何れかに記載の刈払用回転刃。
【考案の詳細な説明】
【技術分野】
【０００１】
本考案は、刈払機に装着して用いられる刈払用回転刃に関する。
【背景技術】
【０００２】
従来、刈払機に装着して用いられる刈払い用チップソーが知られている（例えば、特許文献１参照）。
【０００３】
この刈払い用チップソーは、台金と、台金に固着された多数のチップを有している。そして、刈払い用チップソーの径は、およそ２５５ｍｍもしくは２３０ｍｍに形成されている。
【先行技術文献】
【特許文献】
【０００４】
【特許文献１】特開２０１１―２１７７１２号公報
【考案の概要】
【考案が解決しようとする課題】
【０００５】
ところで、刈払機を用いて水田の畦の法面の除草作業を行う場合、刈払用回転刃が装着されている刈払機の先端部を作業者から見て左右に振ったときに刈払用回転刃と畦の法面が接触することを防ぐため、刈払用回転刃の盤面と畦の法面とが大略平行になるように刈払用回転刃の姿勢を調整する必要がある。しかし、従来の刈払用回転刃を装着した刈払機は、刈払用回転刃の姿勢を調整するため、作業者が畦の法面の上で上体を前方に倒し、この状態で除草作業を行うと、作業者が前方にバランスを崩し易かった。よって、畦の法面の除草作業を行うことが困難であった。
【課題を解決するための手段】
【０００６】
上記課題を解決するために、本考案のある態様に係る刈払用回転刃は、円盤状に形成された台金部と、前記台金部の周縁に間欠的に形成され、先端部が前記台金部の周縁から前記台金部の径方向に突出する複数の刃部とを備え、外径寸法が１２０ｍｍ以上１７０ｍｍ以下に形成されている。
【０００７】
この構成によれば、刈払用回転刃が軽量となり、畦の法面の除草作業時に作業者がバランスを崩し難い。したがって、畦の法面の除草作業の作業性を高めることができる。また、刈り取られるべき草のみを容易に刈り取ることができる。
【０００８】
６個以上１２個以下の前記刃部が、前記台金部の周縁に等間隔に配設されていてもよい。
【０００９】
このような構成とすると、除草作業の作業効率を高めることができ、且つ製造コストも安価となる。
【００１０】
前記刈払用回転刃は、刈払機によって所定の回転方向に回転駆動され、前記台金部は、前記それぞれの刃部の前記回転方向側の前記台金部の周縁を凹状に形成した複数の刃室を有し、前記各刃室と該刃室の前記回転方向側の隣に位置する前記刃部とを連結する前記台金部の周縁は、前記台金部の円周方向に延在する弧状に形成されていてもよい。
【００１１】
このような構成とすると、刈払用回転刃の周縁が石等と接触した際に刈払用回転刃が受ける衝撃を少なくすることができる。また、除草作業時の水等の散乱を少なくすることができる。
【００１２】
前記複数の刃部は、厚さ寸法が１ｍｍ以上２.５ｍｍ以下であってもよい。
【００１３】
このような構成とすると、刈払用回転刃の切れ味を高めることができる。
【００１４】
前記複数の刃部は、それぞれ前記刈払用回転刃の上面側の隅角部に鋭利な刃先が形成されていてもよい。
【００１５】
このような構成とすると、刈払用回転刃の切れ味を高めることができる。
【００１６】
前記刃部は、コバルトの含有量が９重量パーセント以上１１重量パーセント以下である超硬合金製であってもよい。
【００１７】
このような構成とすると、刃部の耐久性を高めることができる。
【考案の効果】
【００１８】
本考案は、以上に説明したように構成され、畦の法面の除草作業の作業性を高めることができるという効果を奏する。
【図面の簡単な説明】
【００１９】
【図１】本考案の実施の形態に係る刈払用回転刃を装着した刈払機の構成例及びこの刈払機の使用例を示す斜視図である。
【図２】図１の刈払用回転刃の正面図である。
【図３】図１の刈払用回転刃の部分拡大図である。
【図４】図１の刈払用回転刃の部分拡大断面図である。
【考案を実施するための形態】
【００２０】
以下、本考案の実施の形態を、図面を参照しながら説明する。なお、以下では全ての図を通じて同一又は相当する要素には同じ参照符号を付して、その重複する説明を省略する。
【００２１】
図１は、本考案の実施の形態に係るチップソー（刈払用回転刃）１００を装着した刈払機１１０の先端部の構成例及びこの刈払機１１０の使用例を示す図である。
【００２２】
図１に示すように、本実施の形態のチップソー１００は、刈払機１１０の先端部に取り付けられて使用される。
【００２３】
刈払機１１０は、基端部に原動機１１５が設けられ、先端部にギヤケース１１１が設けられている。そして、原動機１１５とギヤケース１１１とを中空円筒状の杆１１２が連結している。杆１１２の内部には、原動機１１５によって回転駆動される図示しない伝達軸が杆１１２に対して回動自在に設けられている。また、ギヤケース１１１の内部には、伝達軸の先端部と連結された図示しない装着軸がギヤケース１１１に対して回動自在に設けられている。チップソー１００は、この装着軸に固定され、原動機の駆動力によって所定の回転方向に回転駆動される。以下、このチップソー１００の回転方向を回転駆動方向ということがある。そして、肩掛けストラップ１１３が杆１１２の基端寄りの部分に、取り付けられている。また、操作ハンドル１１４が杆１１２の肩掛けストラップが取り付けられている部分よりも先端側に取り付けられている。刈払機１１０は、周知の刈払機で構成されるのでこれ以上の説明を省略する。
【００２４】
図２は、図１のチップソー１００の正面図である。図３は、チップソー１００の部分拡大図である。
【００２５】
図２に示すように、チップソー１００は、台金部１と、複数の刃部２とを有する。なお、以下では刈払機１１０に装着した際に、刈払機１１０のギヤケース１１１側に位置する一方の面を上面ということがあり、他方の面を下面ということがある。
【００２６】
台金部１は、鋼板製であり、大略円盤状に形成されている。
【００２７】
そして、台金部１は、その中心部に円孔１０が形成されている。この円孔１０は、上記刈払機１１０の装着軸が挿通される孔である。
【００２８】
そして、図２及び図３に示すように、台金部１は、その周縁に間欠的に複数の刃部取付部１１が形成されている。刃部取付部１１は、刃部２を取り付ける部分である。
【００２９】
そして、各刃部取付部１１の回転駆動方向側には、台金部１の周縁を凹状に形成することによって設けられたガレット（刃室）１２が形成されている。したがって、原動機１１５によってチップソー１００が回転駆動させられると、刈り取られる雑草等は、ガレット１２に取り込まれ、刃部２によって刈り取られるようになっている。
【００３０】
そして、ガレット１２とこのガレット１２の回転駆動方向側の隣に位置する刃部取付部１１とを弧状部１３が連結している。弧状部１３は、台金部１の円周方向（回転駆動方向）に延在する弧状に形成されている。そして、弧状部１３の刃部２側の端部は、チップソー１００の径方向における外側に若干突出するように形成され、刃部２を支持している。
【００３１】
したがって、チップソー１００の回転駆動時において、チップソー１００の周縁が石等と接触した際に、これら石等と弧状部１３とが引っ掛かることがないので、チップソー１００が受ける衝撃を少なくすることができる。また、除草作業時の水等の散乱を少なくすることができる。
【００３２】
刃部２は、炭化物を結合剤によって焼結結合させた超硬合金製である。この結合剤にはコバルトが含まれる。刃部２のコバルトの含有量は、９重量パーセント以上１１重量パーセント以下であることが好ましい。これによって、刃部２の抗折力を高めることができ、刃部２が折れたり欠けたりすることを防ぐことができる。したがって、刃部２の耐久性を高めることができる。本実施の形態における刃部２のコバルトの含有量は約１０重量パーセントである。
【００３３】
そして、刃部２は、台金部１の刃部取付部１１にロウ付けによって固着され、先端部が台金部１の周縁から台金部１の径方向に突出している。
【００３４】
図４は、チップソー１００の部分拡大断面図である。
【００３５】
図４に示すように、刃部２は、チップソー１００の上面側の隅角部に鋭利な刃先２ｂが形成されている。即ち、刃部２の外側面は、チップソー１００の上面側に位置する鋭利な刃先２ｂから径方向における内側に向かうように斜め下方に延びて形成され、傾斜面２ａを構成している。したがって、刃部２の刃先２ｂは薄くなっており、これによって、チップソー１００の切れ味を高めることができる。また、チップソー１００の全ての刃先２ｂは、チップソー１００の円周方向に一列に並ぶように構成されている。したがって、チップソー１００の回転駆動時において、複数の刃部２の刃先２ｂは、互いに同一の線状の軌跡を描き、台金部１から一部の刃部２が脱落した場合においても、作業効率の大幅な低下を防ぐことができる。
【００３６】
そして、刃部２の厚さ寸法は、１ｍｍ以上２．５ｍｍ以下であることが好ましい。この刃部２の厚さ寸法とは、チップソー１００の上面から下面に向かう方向の寸法をいう。刃部２の厚さ寸法を２.５ｍｍ以下とすることによって、刈り取られた草の散乱を少なくすることができる。また、刃部２の厚さ寸法を１ｍｍ以上とすることによって、耐久性の低下を防ぐことができる。
【００３７】
そして、チップソー１００は、刃部２を６個以上１２個以下備えていることが好ましい。刃部の数が１２個以下であると、構成を簡素化することができ、また、製造に有利、且つ製造コストも安価となる。また、除草作業時に刃部２が草を弾いてしまい、その結果、チップソー１００の切れ味が低下することを防ぐことができる。刃部２の数が６個以上であると、台金部１から一部の刃部２が脱落した場合においても、作業効率の大幅な低下を防ぐことができる。本実施の形態において、チップソー１００は、８個の刃部２を備えている。
【００３８】
これら複数の刃部２は、台金部１の周縁に等間隔に形成されている。これによって、除草作業時に、チップソー１００の刃部２が密に形成されている部分の刃部２が草を弾いてしまい、その結果、チップソー１００の切れ味が低下することを防ぐことができる。
【００３９】
刃部２を含めたチップソー１００の外径寸法は、１２０ｍｍ以上１７０ｍｍ以下であることが好ましい。この外径寸法とは、全ての刃先２ｂを通過する円の直径をいう。チップソー１００の外径寸法が１７０ｍｍ以下であると、チップソー１００が軽量となり、作業者が畦の法面の上で腰を折り曲げて上体を前に倒して除草作業を行っても作業者がバランスを崩しにくい。よって、除草作業時において、作業者がバランスを崩し、チップソー１００が畦の法面に刺さったり、水田の水等を跳ね上げたりすることを防止することができる。また、万が一、畦の法面にチップソー１００が刺さったときであっても、チップソー１００が受ける抵抗が少ないため、チップソー１００の回転の停止を防止することができる。したがって、畦の法面の除草作業の作業性を高めることができる。また、チップソー１００の外径寸法が小さくなることによって、刃部２の周速が低下するが、チップソー１００の外径寸法が１２０ｍｍ以上であると、作業効率の大幅な低下を防ぐことができる。本実施の形態におけるチップソー１００の外径寸法は、１５５ｍｍである。
【００４０】
このように構成されたチップソー１００を装着した刈払機１１０を使用して畦の法面の除草作業を行うときは、まず、図１に示すように、肩掛けストラップ１１３が使用者の一方の肩及び他方の脇腹（使用者の他方の腕の内側）を通るように肩掛けストラップ１１３を使用者の身体に装着し、刈払機１１０を使用者の身体から提げる。
【００４１】
次に、杆１１２の基端部を腰にあてると共に、操作ハンドル１１４を両手で把持する。
【００４２】
次に、作業者は、チップソー１００の盤面と畦の法面とが大略平行になるようにチップソー１００の姿勢を調整する。特に、稲作中の水が張ってある田んぼの畦の水際の除草作業を行う際は、田んぼに降りることができないため、畦の法面の上で腰を折り曲げて上体を前に倒してチップソー１００の姿勢を調整する。この際、上述の通り、チップソー１００は、外径寸法が１５５ｍｍに形成され、軽量であるので、作業者がバランスを崩しにくい。
【００４３】
そして、腰にあてた杆１１２の基端部を支点にして操作ハンドル１１４を操作し、チップソー１００を畦の法面が延びる方向に動かして除草作業を行う。上述の通り、チップソー１００は、外径寸法が１５５ｍｍに形成されているので、刈り取られるべき草のみを容易に刈り取ることができる。即ち、例えば、水田の水際の畦の法面の草刈りを行っている際、水際付近に生えている稲を誤って刈ってしまうことを防ぐことができる。
【００４４】
以上に説明したように、本考案のチップソー１００は、外径寸法が１２０ｍｍ以上１７０ｍｍ以下であるので、作業者が腰を折り曲げて、畦の法面の上で上体を前に倒して除草作業を行っても、作業者がバランスを崩しにくい。よって、除草作業時において、作業者がバランスを崩し、チップソー１００が畦の法面に食い込むことを防止することができる。したがって、畦の法面の除草作業の作業性を高めることができる。また、刈り取られるべき草のみを容易に刈り取ることができる。
【００４５】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００４６】
本考案のチップソーは、農業等の刈払作業に有用である。
【符号の説明】
【００４７】
１  台金部
２  刃部
１０  円孔
１１  刃部取付部
１２  ガレット
１３  弧状部
１００  チップソー
１１０  刈払機
１１１  ギヤケース
１１２  杆
１１３  肩掛けストラップ
１１４  操作ハンドル
１１５  原動機
【図１】
0003182487.tif 000003
【図２】
0003182487.tif 000004
【図３】
0003182487.tif 000005
【図４】
0003182487.tif 000006